(57)【要約】  【課題】ブラシ保持部材の取付精度に関係なく、そのブラシ保持部材におけるブラシ材を保持する面の高い面精度を確保することができる、プロセスカートリッジおよび画像形成装置を提供すること。  【解決手段】フィルム状の金属薄板からなるブラシホルダ１１２にブラシ材３１を貼着し、そのブラシホルダ１１２の一端部に挿通孔１１５を形成し、他端部にばね１２４の一端を接続する。そして、感光ドラム２８に対向するホルダ配置壁１１８に設けられた突起１２３に挿通孔１１５を係止させるとともに、ばね１２４の他端に設けられた係止部１２５をブラシ左側壁部１０１の被係止部１１９に係止させる。これによって、ブラシホルダ１１２をホルダ配置壁１１８に対して確実に固定することができながら、ばね１２４のばね力によって、そのブラシホルダ１１２に長手方向の張力を確実に付与することができる。【選択図】        図３
2006106021.tif 000002
【特許請求の範囲】
【請求項１】
像担持体と、
前記像担持体の表面に付着した付着物を除去するためのブラシ材と、
前記像担持体の長手方向に沿って延び、前記ブラシ材を保持するブラシ保持部材と、
前記ブラシ保持部材に対して、その長手方向に張力を付与する張力付与手段とを備えていることを特徴とする、プロセスカートリッジ。
【請求項２】
前記ブラシ保持部材が配置される配置部と、
前記ブラシ保持部材の長手方向一端側および他端側にそれぞれ設けられ、前記ブラシ保持部材を前記配置部に対して固定するための第１固定手段および第２固定手段とを備え、
前記張力付与手段は、前記第１固定手段と前記第２固定手段との間に介在されていることを特徴とする、請求項１に記載のプロセスカートリッジ。
【請求項３】
前記第１固定手段は、前記配置部に形成された突起と、前記ブラシ保持部材の長手方向一端部に設けられ、前記突起が挿通される挿通部とからなることを特徴とする、請求項２に記載のプロセスカートリッジ。
【請求項４】
前記突起は、前記配置部における前記ブラシ保持部材の配置面から、前記ブラシ保持部材の長手方向において前記張力付与手段が設けられている側と反対側に傾斜するように突出していることを特徴とする、請求項３に記載のプロセスカートリッジ。
【請求項５】
前記像担持体を収容する筐体を備え、
前記張力付与手段は、ばねを備えており、
前記ばねの一端は、前記ブラシ保持部材の長手方向他端部に接続され、
前記第２固定手段は、前記筐体に設けられた被係止部と、前記ばねの他端に設けられ、前記被係止部に係止される係止部とからなることを特徴とする、請求項２ないし４のいずれかに記載のプロセスカートリッジ。
【請求項６】
前記ばねは、前記ブラシ保持部材に対して前記配置部が設けられている側に配置され、前記ブラシ保持部材の長手方向他端部を前記ブラシ保持部材の長手方向に交差する方向に引っ張ることを特徴とする、請求項５に記載のプロセスカートリッジ。
【請求項７】
前記係止部は、前記ブラシ材に対するバイアス印加のための電極部を兼ねていることを特徴とする、請求項５または６に記載のプロセスカートリッジ。
【請求項８】
前記張力付与手段は、前記ブラシ保持部材の一部を折り曲げて形成された板ばね部を備えていることを特徴とする、請求項２ないし７のいずれかに記載のプロセスカートリッジ。
【請求項９】
前記張力付与手段は、前記ブラシ保持部材が前記配置部において直線状に延びて固定された状態で、前記ブラシ保持部材の一部を前記配置部が設けられている側に向けて押圧する押圧部を備えていることを特徴とする、請求項２ないし４のいずれかに記載のプロセスカートリッジ。
【請求項１０】
前記配置部には、前記押圧部による押圧方向に窪む凹部が形成されており、
前記ブラシ保持部材の一部は、前記押圧部による押圧によって前記凹部内に配置されることを特徴とする、請求項９に記載のプロセスカートリッジ。
【請求項１１】
前記ブラシ保持部材に対して前記像担持体の回転方向下流側に設けられ、前記ブラシ保持部材が前記像担持体の回転方向下流側に移動することを規制するための規制部材を備えていることを特徴とする、請求項１ないし１０のいずれかに記載のプロセスカートリッジ。
【請求項１２】
前記ブラシ保持部材は、導電性を有することを特徴とする、請求項１ないし１１のいずれかに記載のプロセスカートリッジ。
【請求項１３】
前記ブラシ保持部材は、可撓性を有することを特徴とする、請求項１ないし１２のいずれかに記載のプロセスカートリッジ。
【請求項１４】
前記ブラシ保持部材は、フィルム状に形成されていることを特徴とする、請求項１ないし１３のいずれかに記載のプロセスカートリッジ。
【請求項１５】
請求項１ないし１４のいずれかに記載のプロセスカートリッジを備えていることを特徴とする、画像形成装置。
【請求項１６】
像担持体と、
前記像担持体の表面に付着した付着物を除去するためのブラシ材と、
前記像担持体の長手方向に沿って延び、前記ブラシ材を保持するブラシ保持部材と、
前記ブラシ保持部材に対して、その長手方向に張力を付与する張力付与手段とを備えていることを特徴とする、画像形成装置。
【発明の詳細な説明】
【技術分野】
【０００１】
本発明は、レーザプリンタなどの画像形成装置およびこれに装着されるプロセスカートリッジに関する。
【背景技術】
【０００２】
従来より、レーザプリンタなどの画像形成装置に装着されるプロセスカートリッジは、画像データに基づく静電潜像が形成される感光ドラム、この感光ドラムに形成された静電潜像をトナー像に現像するための現像ローラなどを備えている。感光ドラムおよび現像ローラは、互いに対向配置され、それぞれ所定方向に回転駆動される。感光ドラムの表面に形成される静電潜像は、現像ローラと対向したときに、現像ローラから供給されるトナーによってトナー像に現像される。そして、そのトナー像は、感光ドラムに対向配置された転写ローラと対向したときに、感光ドラムと転写ローラとの間に搬送されてくる用紙に転写される。
【０００３】
このようなプロセスカートリッジにおいて、感光ドラムの回転方向における転写ローラの下流側に、転写後の感光ドラムの表面に付着している紙粉を除去するための紙粉除去手段を備えたものが知られている。この紙粉除去手段は、たとえば、紙粉掻き取り用のブラシ状部材と、このブラシ状部材を保持するプレートとを備えており、感光ドラムを支持しているフレームにプレートがねじ止めされて、ブラシ状部材が感光ドラムの表面に摺擦するように設けられている（たとえば、特許文献１参照。）。
【特許文献１】特開２００１−１５９８３９号公報
【発明の開示】
【発明が解決しようとする課題】
【０００４】
感光ドラムの軸方向における均一な紙粉除去を達成するために、ブラシ状部材が保持される面には一定の面精度が要求される。
しかるに、プレートを単にねじ止めによってフレームに固定する構成では、プレートに撓みが生じた状態で、そのプレートをフレームに対してねじ止めしてしまう場合があり、このような場合に、プレートにおけるブラシ状部材の保持面の面精度が低下する。
【０００５】
本発明の目的は、ブラシ保持部材の取付精度に関係なく、そのブラシ保持部材におけるブラシ材を保持する面の高い面精度を確保することができる、プロセスカートリッジおよび画像形成装置を提供することにある。
【課題を解決するための手段】
【０００６】
上記の目的を達成するため、請求項１に記載の発明は、プロセスカートリッジにおいて、像担持体と、前記像担持体の表面に付着した付着物（たとえば、紙粉など）を除去するためのブラシ材と、前記像担持体の長手方向に沿って延び、前記ブラシ材を保持するブラシ保持部材と、前記ブラシ保持部材に対して、その長手方向に張力を付与する張力付与手段とを備えていることを特徴としている。
【０００７】
このような構成によると、張力付与手段によって、ブラシ材を保持するブラシ保持部材に長手方向の張力が付与される。そのため、ブラシ保持部材の取付精度に関係なく、ブラシ保持部材におけるブラシ材を保持する面の高い面精度を確保することができる。その結果、像担持体の長手方向において、ブラシ材を像担持体の表面に対して均一に当接させることができ、像担持体の表面に付着した付着物の均一な除去を達成することができる。
【０００８】
また、請求項２に記載の発明は、請求項１に記載の発明において、前記ブラシ保持部材が配置される配置部と、前記ブラシ保持部材の長手方向一端側および他端側にそれぞれ設けられ、前記ブラシ保持部材を前記配置部に対して固定するための第１固定手段および第２固定手段とを備え、前記張力付与手段は、前記第１固定手段と前記第２固定手段との間に介在されていることを特徴としている。
【０００９】
このような構成によると、第１固定手段および第２固定手段によって、ブラシ保持部材を配置部に対して確実に固定することができながら、張力付与手段によって、そのブラシ保持部材に長手方向の張力を確実に付与することができる。
また、請求項３に記載の発明は、請求項２に記載の発明において、前記第１固定手段は、前記配置部に形成された突起と、前記ブラシ保持部材の長手方向一端部に設けられ、前記突起が挿通される挿通部とからなることを特徴としている。
【００１０】
このような構成によると、配置部に形成された突起が挿通部に挿通されて、その挿通部が突起に係止されることによって、ブラシ保持部材の長手方向一端部が配置部に対して固定される。
ねじ止めによって、ブラシ保持部材を配置部に固定する構成では、ブラシ保持部材および配置部に、それぞれねじが挿通される挿通孔およびねじがねじ込まれるねじ穴を精度よく形成しなければならず、その加工に手間がかかるうえに、ブラシ保持部材の固定のときには、ブラシ保持部材を配置部に押し付けながら、ねじをねじ挿通孔を介してねじ穴にねじ込まなければならず、ブラシ保持部材の固定作業に手間がかかるという不具合がある。また、両面テープを用いて、ブラシ保持部材を配置部に固定する構成では、ブラシ材の交換のために、ブラシ保持部材を配置部から取り外したときに、ブラシ保持部材に両面テープが張り付いたまま残ってしまい、ブラシ保持部材を再利用（リサイクル）することができないという不具合がある。
【００１１】
これに対し、この発明の構成によると、配置部に形成された突起を挿通部に挿通させるという簡素な作業で、ブラシ保持部材の長手方向一端部を配置部に対して固定することができる。また、ブラシ保持部材への両面テープの付着がないので、ブラシ保持部材のリサイクル性を向上させることができる。
また、請求項４に記載の発明は、請求項３に記載の発明において、前記突起は、前記配置部における前記ブラシ保持部材の配置面から、前記ブラシ保持部材の長手方向において前記張力付与手段が設けられている側と反対側に傾斜するように突出していることを特徴としている。
【００１２】
このような構成によると、突起を挿通部に挿通させて、ブラシ保持部材を配置部（配置面）に配置した状態において、挿通部が突起から離脱する方向が張力付与手段による引っ張り方向と反対側に傾斜して交差する。そのため、挿通部の突起からの不所望な離脱を防止することができる。
また、請求項５に記載の発明は、請求項２ないし４のいずれかに記載の発明において、前記像担持体を収容する筐体を備え、前記張力付与手段は、ばねを備えており、前記ばねの一端は、前記ブラシ保持部材の長手方向他端部に接続され、前記第２固定手段は、前記筐体に設けられた被係止部と、前記ばねの他端に設けられ、前記被係止部に係止される係止部とからなることを特徴としている。
【００１３】
このような構成によると、ばねを備える簡素な構成によって、ブラシ保持部材に付与すべき張力を発生させることができる。そのため、張力付与手段の構成の簡素化を図ることができる。
また、ばねの一端がブラシ保持部材の長手方向他端部に接続され、ばねの他端に設けられた係止部が筐体に設けられた係止部に係止されることによって、ブラシ保持部材の長手方向他端部が配置部に対して固定される。そのため、係止部を被係止部に係止させるという簡素な作業で、ブラシ保持部材の長手方向他端部を配置部に対して固定することができる。しかも、ブラシ保持部材を取り外したときに、ブラシ保持部材に両面テープが残存するといった不具合を生じないので、ブラシ保持部材のリサイクル性を向上させることができる。
【００１４】
また、請求項６に記載の発明は、請求項５に記載の発明において、前記ばねは、前記ブラシ保持部材に対して前記配置部が設けられている側に配置され、前記ブラシ保持部材の長手方向他端部を前記ブラシ保持部材の長手方向に交差する方向に引っ張ることを特徴としている。
このような構成によると、ブラシ保持部材の長手方向他端部が、ブラシ保持部材の長手方向と交差する方向に引っ張られることによって、ブラシ保持部材に対して、ブラシ保持部材を配置部に押し付ける方向の力が作用する。そのため、ブラシ保持部材の配置部からの浮き（離間）を防止することができる。その結果、像担持体に対するブラシ材の確実な接触を確保することができ、像担持体の表面に付着した付着物のより均一な除去を達成することができる。
【００１５】
また、請求項７に記載の発明は、請求項５または６に記載の発明において、前記係止部は、前記ブラシ材に対するバイアス印加のための電極部を兼ねていることを特徴としている。
このような構成によると、ブラシ材による付着物の捕捉性を向上させるために、ブラシ材にバイアスが印加される場合に、そのバイアス印加のための電極部を係止部が兼ねることによって、部品点数の低減を図ることができる。
【００１６】
また、請求項８に記載の発明は、請求項２ないし７のいずれかに発明において、前記張力付与手段は、前記ブラシ保持部材の一部を折り曲げて形成された板ばね部を備えていることを特徴としている。
このような構成によると、板ばね部のばね力によって、ブラシ保持部材に張力を付与することができる。そして、ブラシ保持部材の一部を折り曲げて、板ばね部をブラシ保持部材と一体に形成することによって、部品点数の低減を図ることができる。
【００１７】
また、請求項９に記載の発明は、請求項２ないし４のいずれかに記載の発明において、前記張力付与手段は、前記ブラシ保持部材が前記配置部において直線状に延びて固定された状態で、前記ブラシ保持部材の一部を前記配置部が設けられている側に向けて押圧する押圧部を備えていることを特徴としている。
このような構成によると、ブラシ保持部材が配置部において直線状に延びて固定された状態で、ブラシ保持部材の一部が、押圧部によって配置部側に向けて押圧される。ブラシ保持部材の一部が押圧されることによって、その押圧部分の長手方向両側において、ブラシ保持部材に張力が発生する。そのため、簡素な構成で、ブラシ保持部材に張力を付与することができる。
【００１８】
また、請求項１０に記載の発明は、請求項９に記載の発明において、前記配置部には、前記押圧部による押圧方向に窪む凹部が形成されており、前記ブラシ保持部材の一部は、前記押圧部による押圧によって前記凹部内に配置されることを特徴としている。
このような構成によると、ブラシ保持部材の一部が凹部内に配置されることによって、ブラシ保持部材に対して確実に張力を付与することができる。
【００１９】
また、請求項１１に記載の発明は、請求項１ないし１０に記載の発明において、前記ブラシ保持部材に対して前記像担持体の回転方向下流側に設けられ、前記ブラシ保持部材が前記像担持体の回転方向下流側に移動することを規制するための規制部材を備えていることを特徴としている。
このような構成によると、ブラシ保持部材が像担持体の回転方向下流側に移動することを防止することができる。そのため、像担持体の回転につられて、ブラシ材が像担持体の回転方向下流側に移動することを防止することができる。その結果、像担持体に対するブラシ材の確実な接触を確保することができ、像担持体の表面に付着した付着物のより均一な除去を達成することができる。
【００２０】
また、請求項１２に記載の発明は、請求項１ないし１１のいずれかに記載の発明において、前記ブラシ保持部材は、導電性を有することを特徴としている。
このような構成によると、ブラシ材にバイアスを印加する場合に、そのバイアスをブラシ保持部材を介してブラシ材に印加することができる。
また、請求項１３に記載の発明は、請求項１ないし１２のいずれかに記載の発明において、前記ブラシ保持部材は、可撓性を有することを特徴としている。
【００２１】
このような構成によると、張力付与手段によってブラシ保持部材に張力を付与することによって、可撓性を有するブラシ保持部材であっても、そのブラシ保持部材におけるブラシ材を保持する面の高い面精度を確保することができる。その結果、像担持体の長手方向において、ブラシ材を像担持体の表面に対して均一に当接させることができ、像担持体の表面に付着した付着物の均一な除去を達成することができる。
【００２２】
また、請求項１４に記載の発明は、請求項１ないし１３のいずれかに記載の発明において、前記ブラシ保持部材は、フィルム状に形成されていることを特徴としている。
このような構成によると、ブラシ保持部材がフィルム状に形成されていることによって、ブラシ保持部材が配置される配置部と像担持体との対向方向の距離を短縮することができる。そのため、プロセスカートリッジの小型化を図ることができる。
【００２３】
また、請求項１５に記載の発明は、画像形成装置において、請求項１ないし１４のいずれかに記載のプロセスカートリッジを備えていることを特徴としている。
このような構成によると、像担持体の表面に付着した付着物の均一な除去を達成することができるプロセスカートリッジを備えているので、像担持体の表面に付着した付着物をきれいに除去することができる。そのため、像担持体の表面の付着物の画質への悪影響を排除することができ、高品質な画像を形成することができる。
【００２４】
また、請求項１６に記載の発明は、画像形成装置において、像担持体と、前記像担持体の表面に付着した付着物を除去するためのブラシ材と、前記像担持体の長手方向に沿って延び、前記ブラシ材を保持するブラシ保持部材と、前記ブラシ保持部材に対して、その長手方向に張力を付与する張力付与手段とを備えていることを特徴としている。
このような構成によると、張力付与手段によって、ブラシ材を保持するブラシ保持部材に長手方向の張力が付与される。これにより、ブラシ保持部材の取付精度に関係なく、ブラシ保持部材におけるブラシ材を保持する面の高い面精度を確保することができる。そのため、像担持体の長手方向において、ブラシ材を像担持体の表面に対して均一に当接させることができ、像担持体の表面に付着した付着物の均一な除去を達成することができる。その結果、像担持体の表面に付着した付着物をきれいに除去することができ、高品質な画像を形成することができる。
【発明の効果】
【００２５】
請求項１に記載の発明によれば、像担持体の長手方向において、ブラシ材を像担持体の表面に対して均一に当接させることができ、像担持体の表面に付着した付着物の均一な除去を達成することができる。
請求項２に記載の発明によれば、ブラシ保持部材を配置部に対して確実に固定することができながら、そのブラシ保持部材に長手方向の張力を確実に付与することができる。
【００２６】
請求項３に記載の発明によれば、ブラシ保持部材の長手方向一端部の配置部に対する固定作業を簡素化することができる。また、ブラシ保持部材のリサイクル性を向上させることができる。
請求項４に記載の発明によれば、挿通部の突起からの不所望な離脱を防止することができる。
【００２７】
請求項５に記載の発明によれば、張力付与手段の構成の簡素化を図ることができる。また、ブラシ保持部材の長手方向他端部の配置部に対する固定作業を簡素化することができるうえに、ブラシ保持部材のリサイクル性を向上させることができる。
請求項６に記載の発明によれば、像担持体の表面に付着した付着物のより均一な除去を達成することができる。
【００２８】
請求項７に記載の発明によれば、部品点数の低減を図ることができる。
請求項８に記載の発明によれば、部品点数の低減を図ることができる。
請求項９に記載の発明によれば、簡素な構成で、ブラシ保持部材に張力を付与することができる。
請求項１０に記載の発明によれば、ブラシ保持部材に対して確実に張力を付与することができる。
【００２９】
請求項１１に記載の発明によれば、像担持体の表面に付着した付着物のより均一な除去を達成することができる。
請求項１２に記載の発明によれば、ブラシ材にバイアスを印加する場合に、そのバイアスをブラシ保持部材を介してブラシ材に印加することができる。
請求項１３に記載の発明によれば、像担持体の長手方向において、ブラシ材を像担持体の表面に対して均一に当接させることができ、像担持体の表面に付着した付着物の均一な除去を達成することができる。
【００３０】
請求項１４に記載の発明によれば、プロセスカートリッジの小型化を図ることができる。
請求項１５に記載の発明によれば、高品質な画像を形成することができる。
請求項１６に記載の発明によれば、高品質な画像を形成することができる。
【発明を実施するための最良の形態】
【００３１】
図１および図２は、本発明の画像形成装置としてのレーザプリンタの一実施形態を示す要部側断面図である。このレーザプリンタ１は、本体ケーシング２内に、用紙３を給紙するためのフィーダ部４や、給紙された用紙３に画像を形成するための画像形成部５などを備えている。
本体ケーシング２において、一方側の側壁には、後述するプロセスカートリッジ１８を着脱するための着脱開口部６が形成されており、その着脱開口部６を開閉するためのフロントカバー７が設けられている。
【００３２】
このフロントカバー７は、その下端部に挿通された図示しないカバー軸に回動自在に支持されている。これによって、フロントカバー７をカバー軸を中心として閉じると、図１に示すように、フロントカバー７によって着脱開口部６が閉鎖され、フロントカバー７をカバー軸を支点として開くと（傾倒させると）、図２に示すように、着脱開口部６が開放され、この着脱開口部６から、プロセスカートリッジ１８を本体ケーシング２に対して着脱させることができる。
【００３３】
なお、以下では、このレーザプリンタ１およびプロセスカートリッジ１８（後述する現像カートリッジ２６を含む。）において、フロントカバー７が設けられる側を「前側」とし、その反対側を「後側」とする。
フィーダ部４は、本体ケーシング２内の底部に、着脱可能に装着される給紙トレイ８と、給紙トレイ８の前端部の上方に設けられる給紙ローラ９および分離パッド１０と、給紙ローラ９の後側に設けられるピックアップローラ１１と、給紙ローラ９の前側下方において対向配置されるピンチローラ１２と、給紙ローラ９の後側上方に設けられるレジストローラ１３とを備えている。
【００３４】
給紙トレイ８の内部には、用紙３を積層状に載置可能な用紙押圧板１４が備えられている。この用紙押圧板１４は、後端部において揺動可能に支持されることによって、前端部が上下方向に移動可能にされている。
また、給紙トレイ８の前端部には、用紙押圧板１４の前端部を上方に持ち上げるためのレバー１５が設けられている。このレバー１５は、用紙押圧板１４の前側から下側へ回り込むように断面略Ｌ字状に形成されており、その上端部が、給紙トレイ８の前端部に設けられたレバー軸１６に取り付けられ、その後端部が、用紙押圧板１４の前端部の下面に当接している。これによって、レバー軸１６に図中時計回りの回転駆動力が入力されると、レバー１５がレバー軸１６を支点として回転し、レバー１５の後端部が用紙押圧板１４の前端部を持ち上げる。
【００３５】
用紙押圧板１４の前端部が持ち上げられると、用紙押圧板１４上の最上位にある用紙３は、ピックアップローラ１１に押圧され、そのピックアップローラ１１の回転によって、給紙ローラ９と分離パッド１０との間に向けて搬送開始される。
一方、給紙トレイ８を本体ケーシング２から離脱させると、用紙押圧板１４は、その自重によって、前端部が下方に移動し、給紙トレイ８の底面に沿った状態になる。この状態で、用紙押圧板１４上に用紙３を積層状に載置することができる。
【００３６】
ピックアップローラ１１によって送り出された用紙３は、給紙ローラ９の回転によって、給紙ローラ９と分離パッド１０との間に挟まれたときに、確実に１枚ごとに捌かれて給紙される。その後、給紙された用紙３は、給紙ローラ９とピンチローラ１２との間を通り、レジストローラ１３に搬送される。
レジストローラ１３は、互いに対向する１対のローラから構成され、用紙３を、レジスト後に、画像形成部５の転写位置（後述する感光ドラム２８と転写ローラ３０との間のニップ位置であって、感光ドラム２８上のトナー像を用紙３に転写する位置）に向けて搬送する。
【００３７】
画像形成部５は、スキャナ部１７、プロセスカートリッジ１８、定着部１９などを備えている。
スキャナ部１７は、本体ケーシング２内の上部に設けられ、図示しないレーザ光源、回転駆動されるポリゴンミラー２０、ｆθレンズ２１、反射鏡２２、レンズ２３および反射鏡２４などを備えている。レーザ光源から発光される画像データに基づくレーザビームは、鎖線で示すように、ポリゴンミラー２０で偏向されて、ｆθレンズ２１を通過した後、反射鏡２２によって光路が折り返され、さらにレンズ２３を通過した後、反射鏡２４によってさらに光路が下方に屈曲されることにより、プロセスカートリッジ１８の後述する感光ドラム２８の表面上に高速走査にて照射される。
【００３８】
プロセスカートリッジ１８は、スキャナ部１７の下方において、本体ケーシング２に対して着脱可能に装着されている。このプロセスカートリッジ１８は、ドラムカートリッジ２５と、ドラムカートリッジ２５に対して着脱可能に装着される現像カートリッジ２６とを備えている。
ドラムカートリッジ２５は、フレーム９１と、そのフレーム９１内に設けられる、像担持体としての感光ドラム２８、スコロトロン型帯電器２９、転写ローラ３０およびブラシ材３１とを備えている。
【００３９】
フレーム９１は、上下に２分割に構成されている。すなわち、フレーム９１は、筐体としての下フレーム９２と、この下フレーム９２と別体に形成され、下フレーム９２に上方から組み合わされる上フレーム９３とを備えている。
下フレーム９２は、図３に示すように、左側壁９４、右側壁９５、底壁９６および前壁９７を一体的に備えている。
【００４０】
左側壁９４および右側壁９５は、幅方向（前後方向に直交する方向）に間隔を隔てて対向配置されており、後側壁部９８、前側壁部９９および延長側壁部１００が、後側から前側に向かって順次連続して形成されている。また、左側壁９４は、後側壁部９８の後端縁から幅方向内側へ入り込んで後側へと延びるブラシ左側壁部１０１を一体的に備え、右側壁９５は、後側壁部９８の後端縁から後側壁部９８と同一平面上を後側へと延びるブラシ右側壁部１０２を一体的に備えている。
【００４１】
後側壁部９８には上端縁から略Ｕ字状に切り欠くことによって、転写ローラ３０の軸端部を受け入れる転写ローラ軸受入部１０３から形成されている。
前側壁部９９は、現像カートリッジ２６の着脱時に、後述する現像ローラ軸４８の軸端部を案内するための現像ローラ軸案内部１０４と、この現像ローラ軸案内部１０４の後端に連続して設けられ、現像ローラ軸案内部１０４に案内される現像ローラ軸４８の軸端部を受け入れる現像ローラ軸受入部１０５とを備えている。
【００４２】
現像ローラ軸案内部１０４は、前側壁部９９の上端縁として形成され、前側壁部９９の前後方向途中から、前方から後方に向かって、斜め下方に延びた後、略水平方向の平坦状に延びるように形成されている。
現像ローラ軸受入部１０５は、現像ローラ軸案内部１０４の後側に連続し、現像ローラ軸案内部１０４の後端部よりも上方に突出した突出壁１０６に、その突出壁１０６の前端縁から側面視略矩形状に切り欠くことによって形成されており、その下端縁が、現像ローラ軸案内部１０４の後端縁に連続している。
【００４３】
延長側壁部１００は、前側壁部９９と同一平面上に連続して形成されている。
底壁９６は、略平板状をなし、左側壁９４および右側壁９５の下端縁を前後方向にわたって連結するように設けられている。この底壁９６の後部上方には、ブラシ材３１が収容されるブラシ収容部１０７が設けられている。
前壁９７は、幅方向両端部に分離して形成され、それぞれ底壁９６の前端縁から上方に向かって直角方向に屈曲している。
【００４４】
図１および図２に示すように、上フレーム９３の上部には、幅方向に延びる平面視略矩形状のレーザ入射窓１０８が開口されている。また、上フレーム９３には、レーザ入射窓１０８の後部斜め下方に、スコロトロン型帯電器２９を支持するための帯電支持部１０９が設けられている。
そして、下フレーム９２と上フレーム９３とが組み合わされた状態では、左側壁９４および右側壁９５の各後側壁部９８と、上フレーム９３と、上フレーム９３に上下方向に対向する底壁９６の後部とによって、感光ドラム２８を収容するためのドラム収容部１１０（図３参照）が、前方を開放する空間として形成される。また、左側壁９４および右側壁９５の各前側壁部９９と、各前側壁部９９に幅方向において連続する底壁９６の前後方向途中部とによって、現像カートリッジ２６を収容するための現像カートリッジ収容部１１１（図３参照）が、上方および前方が開放される空間として形成される。
【００４５】
感光ドラム２８は、ドラム収容部１１０（図３参照）内に設けられている。最表層がポリカーボネートなどからなる正帯電性の感光層により形成される円筒形状のドラム本体３２と、このドラム本体３２の軸心において、ドラム本体３２の長手方向に沿って延びる金属製のドラム軸３３とを備えている。ドラム軸３３がドラムカートリッジ２５の左側壁９４および右側壁９５に回転不能に支持されており、そのドラム軸３３に対してドラム本体３２が回転可能に支持されることにより、感光ドラム２８は、左側壁９４および右側壁９５の間において、ドラム軸３３を中心に回転可能に設けられている。画像形成時において、感光ドラム２８は、図１における時計回りに回転駆動される。
【００４６】
スコロトロン型帯電器２９は、帯電支持部１０９に支持されており、感光ドラム２８の後側斜め上方において、感光ドラム２８と接触しないように、間隔を隔てて対向配置されている。このスコロトロン型帯電器２９は、タングステンなどの帯電用ワイヤからコロナ放電を発生させる正帯電用のスコロトロン型の帯電器であり、感光ドラム２８の表面を一様に正極性に帯電させることができるように設けられている。
【００４７】
転写ローラ３０は、感光ドラム２８の下方に配置されて、左側壁９４および右側壁９５に回転可能に支持されている。この転写ローラ３０は、金属製の転写ローラ軸３４と、その転写ローラ軸３４の周りを被覆する、イオン導電性のゴム材料からなるゴムローラ３５とを備えている。転写ローラ３０には、転写時に転写バイアスが印加される。
ブラシ材３１は、ブラシ収容部１０７において、感光ドラム２８の表面に接触するように、感光ドラム２８に対して前後方向において後側から対向配置されている。
【００４８】
より具体的には、ブラシ材３１は、図３に示すように、幅方向に沿って延びる略矩形細長状のブラシ保持部材としてのブラシホルダ１１２に貼着されている。このブラシホルダ１１２は、可撓性を有するフィルム状の金属薄板からなり、幅方向にブラシ材３１よりも長く延びる長方形状のブラシ貼着部１１３と、ブラシ貼着部１１３の左端縁から後方に向かって延びる左端延設部１１４とを一体的に備えている。このようなブラシホルダ１１２は、たとえば、厚さ０．１ｍｍ程度のステンレス、アルミニウムまたは鉄などの金属薄板を用いて形成することができる。なお、鉄からなる金属薄板を用いる場合、錆防止のために、その表面をニッケルめっきによって被覆することが好ましい。
【００４９】
ブラシ材３１は、ブラシ貼着部１１３の感光ドラム２８との対向面に貼着されている。また、ブラシ貼着部１１３において、ブラシ材３１の右側に延びる部分には、図４に示すように、後述する突起１２３が挿通される第１固定手段である挿通部としての挿通孔１１５が貫通して形成されている。さらに、図５に示すように、左端延設部１１４には、後述するばね１２４の一端が係止されるばね係止孔１１６が貫通して形成されている。
【００５０】
一方、図３を参照して、ブラシ収容部１０７は、下フレーム９２のブラシ左側壁部１０１およびブラシ右側壁部１０２と、これらの間において前後方向および幅方向に延びる下壁１１７とによって形成される。このブラシ収容部１０７には、幅方向に延びる前後方向断面略Ｌ字状のホルダ配置壁１１８が、下壁１１７から立ち上がり、感光ドラム２８と前後方向に間隔を隔てて後側に対向配置されている。また、図５に示すように、ブラシ収容部１０７において、ブラシ左側壁部１０１には、略直方体形状の第２固定手段としての被係止部１１９が、そのブラシ左側壁部１０１に形成された開口１２０内から幅方向外側に突出して設けられている。
【００５１】
ホルダ配置壁１１８は、被係止部１１９に対して幅方向に対向する位置よりも前側の位置に配置されている。このホルダ配置壁１１８は、ブラシホルダ１１２が配置される長方形板状の配置部１２１と、この配置部１２１の上端部から感光ドラム２８に向けて延出する規制部材としてのホルダ規制部１２２を一体的に備えている。
また、ホルダ配置壁１１８の右端部には、図４に示すように、ブラシホルダ１１２の挿通孔１１５に挿通される第１固定手段としての突起１２３が形成されている。この突起１２３は、配置部１２１におけるブラシホルダ１１２の配置面から、ブラシホルダ１１２の長手方向において右側（次に述べるばね１２４が設けられている側と反対側）に傾斜するように突出している。
【００５２】
図５に示すように、ブラシホルダ１１２（左端延設部１１４）のばね係止孔１１６には、張力付与手段としてのばね１２４の一端が係止されている。このばね１２４は、収縮方向のばね力を有する引っ張りばねであり、ブラシホルダ１１２の配置部１２１に対してホルダ配置壁１１８が設けられている側において、前後方向に伸縮するように配置されている。ばね１２４の他端は、幅方向左側に向けて延び、ブラシ左側壁部１０１の開口１２０に挿通されている。そして、そのばね１２４の他端には、ブラシ左側壁部１０１の外側に延びた部分が略コ字状に折り曲げられることによって第２固定手段としての係止部１２５が形成されており、この係止部１２５は、被係止部１１９の左端面に形成された係止溝１２６に嵌合して係止されている。これにより、ばね１２４のばね力によって、ブラシホルダ１１２の左端延設部１１４が後方へ引っ張られ、これに伴って、ブラシホルダ１１２のブラシ貼着部１１３が、ホルダ配置壁１１８の配置部１２１に押し付けられるとともに、その長手方向に張力が付与される。
【００５３】
また、係止部１２５は、プロセスカートリッジ１８を本体ケーシング２（図１参照）に装着したときに、本体ケーシング２内に配置された図示しない給電部材に接続される電極部を兼ねており、この係止部１２５に対して、感光ドラム２８の表面に付着した付着物をブラシ材３１に電気的に吸着させるためのクリーニングバイアスが印加される。
現像カートリッジ２６は、図１に示すように、ドラムカートリッジ２５に対して着脱自在に装着されており、後側が開口されたボックス状をなす現像カートリッジ筐体３６と、この現像カートリッジ筐体３６内に設けられる、供給ローラ３７、現像ローラ３８および層厚規制ブレード３９を備えている。この現像カートリッジ２６は、本体ケーシング２に対してドラムカートリッジ２５と一体的に着脱させることができる。
【００５４】
現像カートリッジ筐体３６内には、その上面から下方に向かって突出する仕切板４０が幅方向に延びて設けられており、その仕切板４０よりも前方の内部空間がトナー収容室４１とされ、仕切板４０よりも後方の内部空間が現像室４２とされている。
トナー収容室４１内には、現像剤として、正帯電性の非磁性１成分のトナーが収容されている。このトナーとしては、重合性単量体、たとえば、スチレンなどのスチレン系単量体や、アクリル酸、アルキル（Ｃ１〜Ｃ４）アクリレート、アルキル（Ｃ１〜Ｃ４）メタアクリレートなどのアクリル系単量体を、懸濁重合などの公知の重合方法によって共重合させることにより得られる重合トナーが使用されている。このような重合トナーは、球状をなし、流動性が極めて良好であり、高画質の画像形成を達成することができる。
【００５５】
なお、このようなトナーには、カーボンブラックなどの着色剤やワックスなどが配合され、また、流動性を向上させるために、シリカなどの外添剤が添加されている。その粒子径は、約６〜１０μｍ程度である。
また、トナー収容室４１内には、このトナー収容室４１内のトナーを撹拌するためのアジテータ４３が設けられている。アジテータ４３は、トナー収容室４１の中心部において、幅方向に延びるアジテータ回転軸４４に支持されており、このアジテータ回転軸４４を支点として、アジテータ４３が回転されることによって、トナー収容室４１内のトナーは、撹拌され、仕切板４０の下方のトナー放出口４５から現像室４２に向けて放出される。
【００５６】
供給ローラ３７は、現像室４２内において、前側下方に配置され、現像カートリッジ筐体３６の幅方向に対向する両側板間に回転自在に支持されている。この供給ローラ３７は、幅方向に延びる、金属製の供給ローラ軸４６と、その供給ローラ軸４６の周りを被覆する、導電性の発泡材料からなるスポンジローラ４７とを備えている。
現像ローラ３８は、現像室４２内において、後側下方に配置され、現像カートリッジ筐体３６の幅方向に対向する両側板間に回転自在に支持されている。また、現像ローラ３８は、その表面の一部が現像カートリッジ筐体３６から後方に突出して露出するように配置され、現像カートリッジ２６がドラムカートリッジ２５に装着された状態で、感光ドラム２８と前後方向に対向して接触する。この現像ローラ３８は、金属製の現像ローラ軸４８と、その現像ローラ軸４８の周りを被覆する、導電性のゴム材料からなるゴムローラ４９とを備えている。ゴムローラ４９は、カーボン微粒子などを含む導電性のウレタンゴムまたはシリコーンゴムからなり、その表面が、フッ素含有ウレタンゴムまたはシリコーンゴムにより被覆されている。また、ゴムローラ４９は、供給ローラ３７のスポンジローラ４７と互いに圧縮されるように接触して配置されている。
【００５７】
層厚規制ブレード３９は、金属の板ばね材からなり、その先端部に、絶縁性のシリコーンゴムからなる断面半円形状の押圧ゴム部材５０を備えている。そして、層厚規制ブレード３９は、現像ローラ３８の上方において現像カートリッジ筐体３６に支持されて、その下端部が、現像ローラ３８のゴムローラ４９に対して前側から対向し、押圧ゴム部材５０が、層厚規制ブレード３９の弾性力によってゴムローラ４９に圧接される。
【００５８】
そして、アジテータ４３の回転によってトナー放出口４５から現像室４２に放出されるトナーは、供給ローラ３７の回転によって、現像ローラ３８のゴムローラ４９上に供給され、このとき、供給ローラ３７のスポンジローラ４７と現像ローラ３８のゴムローラ４９との間で正に摩擦帯電される。ゴムローラ４９上に供給されたトナーは、現像ローラ３８の回転に伴って、層厚規制ブレード３９の押圧ゴム部材５０とゴムローラ４９との間に進入し、一定厚さの薄層となって、ゴムローラ４９上に担持される。
【００５９】
一方、感光ドラム２８の表面は、スコロトロン型帯電器２９により一様に正帯電された後、スキャナ部１７からのレーザビームの高速走査により露光され、画像データに基づく静電潜像が形成される。
次いで、現像ローラ３８の回転により、現像ローラ３８のゴムローラ４９上に担持されかつ正帯電されているトナーが、感光ドラム２８に対向して接触する時に、感光ドラム２８の表面上に形成される静電潜像、すなわち、一様に正帯電されている感光ドラム２８の表面のうち、レーザビームによって露光され電位が下がっている露光部分に供給され、選択的に担持されることによって可視像化され、これによって反転現像によりトナー像が形成される。
【００６０】
その後、感光ドラム２８と転写ローラ３０とが、それらの間で用紙３を挟持して搬送するように回転駆動され、感光ドラム２８と転写ローラ３０との間を用紙３が搬送されることにより、感光ドラム２８の表面に担持されているトナー像が用紙３上に転写される。
なお、転写後に、用紙３との接触によって感光ドラム２８の表面に付着した紙粉などの付着物は、その感光ドラム２８の表面が、感光ドラム２８の回転に伴って、ブラシ材３１と対向した時に、そのブラシ材３１によって、物理的に絡め取られるとともに、係止部１２５からブラシホルダ１１２を介して印加されるクリーニングバイアスによって電気的に吸着される。
【００６１】
定着部１９は、プロセスカートリッジ１８の後側に設けられ、幅方向に延びる定着フレーム５１と、この定着フレーム５１に回転自在に支持され、上下方向に対向配置される加熱ローラ５２および押圧ローラ５３とを備えている。
加熱ローラ５２は、金属素管と、その金属素管内に加熱のためのハロゲンランプとを備え、図示しないモータからの動力の入力により回転駆動される。
【００６２】
押圧ローラ５３は、加熱ローラ５２の下方において、加熱ローラ５２を押圧するように対向配置されている。この押圧ローラ５３は、金属製のローラ軸８０を、ゴム材料からなるローラ８１で被覆することにより構成されており、加熱ローラ５２の回転駆動に従って従動される。
定着部１９では、用紙３上に転写されたトナーを、用紙３が加熱ローラ５２と押圧ローラ５３との間を通過する間に熱定着させる。トナーが定着した用紙３は、本体ケーシング２の上面に向かって上下方向に延びた排紙パス８２に搬送される。排紙パス８２に搬送された用紙３は、その上端に設けられる排紙ローラ８３によって、本体ケーシング２の上面に形成された排紙トレイ８４上に排紙される。
【００６３】
以上のように、このレーザプリンタ１のプロセスカートリッジ１８では、ばね１２４のばね力によって、ブラシホルダ１１２のブラシ貼着部１１３に対して、その長手方向に張力が付与される。そのため、ブラシホルダ１１２のホルダ配置壁１１８（配置部１２１）への取付精度に関係なく、ブラシ貼着部１１３におけるブラシ材３１の貼着面に高い面精度を出すことができる。その結果、感光ドラム２８の軸方向において、ブラシ材３１を感光ドラム２８の表面に対して均一に当接させることができ、感光ドラム２８の表面に付着した付着物の均一な除去を達成することができる。
【００６４】
また、ばね１２４のばね力によって、ブラシホルダ１１２の左端延設部１１４が後方へ引っ張られ、ブラシホルダ１１２のブラシ貼着部１１３に対して、ホルダ配置壁１１８の配置部１２１に押し付ける方向の力が作用する。そのため、ブラシホルダ１１２の配置部１２１からの浮き（離間）を防止することができる。その結果、感光ドラム２８に対するブラシ材３１の確実な接触を確保することができ、感光ドラム２８の表面に付着した付着物のより均一な除去を達成することができる。
【００６５】
さらに、本実施形態のように、ブラシホルダ１１２の一端を固定し、他端を引っ張るのみの構成においては、ブラシホルダ１１２の幅方向中央部側において位置ずれを起こすおそれがあるが、配置部１２１の上端部から感光ドラム２８に向けてホルダ規制部１２２が延出しているので、感光ドラム２８の回転に伴って、ブラシ材３１に感光ドラム２８の回転方向下流側に向かう力が作用しても、ブラシホルダ１１２が、その感光ドラム２８の回転方向下流側に移動することを防止することができる。そのため、感光ドラム２８の回転につられて、ブラシ材３１が感光ドラム２８の回転方向下流側に移動することを防止することができる。その結果、感光ドラム２８に対するブラシ材３１の確実な接触を確保することができ、感光ドラム２８の表面に付着した付着物のより均一な除去を達成することができる。
【００６６】
また、ホルダ配置壁１１８の突起１２３がブラシホルダ１１２の挿通孔１１５に挿通されて、その挿通孔１１５が突起１２３に係止され、ばね１２４の他端に設けられた係止部１２５がブラシ左側壁部１０１の被係止部１１９に係止されることによって、ブラシホルダ１１２をホルダ配置壁１１８の配置部１２１に対して確実に固定することができながら、ばね１２４のばね力によって、そのブラシホルダ１１２に長手方向の張力を確実に付与することができる。
【００６７】
ねじ止めによって、ブラシホルダ１１２を配置部１２１に固定する構成では、ブラシホルダ１１２および配置部１２１に、それぞれねじが挿通される挿通孔およびねじがねじ込まれるねじ穴を精度よく形成しなければならず、その加工に手間がかかるうえに、ブラシホルダ１１２の固定のときには、ブラシホルダ１１２を配置部１２１に押し付けながら、ねじをねじ挿通孔を介してねじ穴にねじ込まなければならず、ブラシホルダ１１２の固定作業に手間がかかるという不具合がある。また、両面テープを用いて、ブラシホルダ１１２を配置部１２１に固定する構成では、ブラシ材３１の交換のために、ブラシホルダ１１２を配置部１２１から取り外したときに、ブラシホルダ１１２に両面テープが張り付いたまま残ってしまい、ブラシホルダ１１２を再利用（リサイクル）することが困難であるという不具合がある。
【００６８】
これに対し、この実施形態の構成によると、突起１２３を挿通孔１１５に挿通させ、係止部１２５を被係止部１１９に係止させるという簡素な作業で、ブラシホルダ１１２を配置部１２１に対して固定することができる。しかも、ブラシホルダ１１２を取り外したときに、ブラシホルダ１１２に両面テープが残存するといった不具合を生じないので、ブラシホルダ１１２のリサイクル性を向上させることができる。
【００６９】
また、ばね１２４を用いることによって、ブラシホルダ１１２に張力を付与するための構成の簡素化を図ることができる。
さらにまた、ブラシホルダ１１２を配置部１２１に配置した状態において、挿通孔１１５が突起１２３から離脱する方向が、ばね１２４による引っ張り方向と反対側に傾斜して交差する。そのため、挿通孔１１５の突起１２３からの不所望な離脱を防止することができる。
【００７０】
また、ブラシホルダ１１２は、フィルム状の金属薄板からなり、導電性を有しているので、このブラシホルダ１１２を介して、ブラシ材３１にクリーニングバイアスを印加することができる。
そのうえ、このプロセスカートリッジ１８では、係止部１２５がブラシ材３１にクリーニングバイアスを印加するための電極部を兼ねるので、部品点数の低減を図ることができる。
【００７１】
また、ブラシホルダ１１２がフィルム状に形成されていることによって、配置部１２１と感光ドラム２８との対向方向（前後方向）の距離を短縮することができる。そのため、プロセスカートリッジ１８の小型化を図ることができる。
そして、このレーザプリンタ１では、感光ドラム２８の表面に付着した紙粉などの付着物の均一な除去を達成することができるプロセスカートリッジ１８を備えているので、感光ドラム２８の表面に付着した付着物をきれいに除去することができる。そのため、感光ドラム２８の表面の付着物の画質への悪影響を排除することができ、高品質な画像を形成することができる。
【００７２】
図６は、ブラシ収容部１０７およびブラシホルダ１１２の他の実施形態を示す要部斜視図である。なお、上記した各部に対応する部分については、図６において同一の参照符号を付し、以下ではその説明を省略する。
この図６に示すブラシ収容部１０７では、ブラシ左側壁部１０１に、図５に示すような被係止部１１９および開口１２０が設けられておらず、これらに代えて、溝状の切込溝１２７が、ブラシ左側壁部１０１の上端から下方に延びて形成されている。
【００７３】
また、ホルダ配置壁１１８は、切込溝１２７に対して幅方向にほぼ対向する位置に配置されている。
そして、ブラシホルダ１１２は、幅方向に長く延びるフィルム状の金属薄板からなり、その左端部は、切込溝１２７に挿通されて、ブラシ左側壁部１０１の幅方向外側面に沿って後方に折り曲げられている。これにより、ブラシホルダ１１２の左端部は、切込溝１２７に係止されている。また、このブラシホルダ１１２は、ホルダ配置壁１１８の配置部１２１の左端部において、第２固定手段としてのねじ１２８によってねじ止めされている。さらに、ブラシホルダ１１２には、ねじ１２８の右側近傍において、ブラシホルダ１１２の途中部を感光ドラム２８（図１参照）に向けて突出する略山形状に折り曲げることにより、張力付与手段としての板ばね部１２９が形成されている。
【００７４】
このような構成によっても、板ばね部１２９のばね力によって、ブラシホルダ１１２に対して、その長手方向（幅方向）に張力を付与することができる。そのため、ブラシホルダ１１２のホルダ配置壁１１８への取付精度に関係なく、ブラシホルダ１１２におけるブラシ材３１の貼着面に高い面精度を出すことができる。その結果、感光ドラム２８の軸方向において、ブラシ材３１を感光ドラム２８の表面に対して均一に当接させることができ、感光ドラム２８の表面に付着した付着物の均一な除去を達成することができる。
【００７５】
また、ブラシホルダ１１２の一部で板ばね部１２９を形成することによって、部品点数の低減を図ることができる。
なお、この実施形態の説明において、ねじ１２８が第２固定手段であるとしたが、切込溝１２７を被係止部とし、ブラシホルダ１１２の左端部を電極部を兼ねる係止部として、これらによって第２固定手段が構成されてもよい。
【００７６】
図７は、ブラシ収容部１０７およびブラシホルダ１１２のさらに他の実施形態を示す要部斜視図である。なお、上記した各部に対応する部分については、図７において同一の参照符号を付し、以下ではその説明を省略する。
この図７に示すブラシ収容部１０７では、ホルダ配置壁１１８が、ブラシ左側壁部１０１と一体的に形成されており、ブラシ左側壁部１０１には、そのホルダ配置壁１１８の前面（感光ドラム２８との対向面）に沿って、ブラシ左側壁部１０１の上端縁から下方に延びる第２固定手段としての切込溝１２７が形成されている。そして、ブラシホルダ１１２の左端部は、その切込溝１２７に挿通されて、ブラシ左側壁部１０１の幅方向外側面に沿って後方に折り曲げられていることにより、切込溝１２７に係止されている。
【００７７】
また、ホルダ配置壁１１８の右端部には、後方（感光ドラム２８から離間する方向）に窪む凹部１３０が形成されている。
そして、ブラシホルダ１１２は、ホルダ配置壁１１８において幅方向に直線状に延びて固定された状態で、凹部１３０に対向する部分に押圧部としてのねじ１３１が挿通されて、そのねじ１３１が凹部１３０内におけるホルダ配置壁１１８にねじ込まれることにより、凹部１３０に対向する部分が、ホルダ配置壁１１８が設けられている側に押圧されて、凹部１３０内に配置されている。これにより、ブラシホルダ１１２のねじ１３１に対する長手方向両側に張力が確実に発生する。そのため、簡素な構成で、ブラシホルダ１１２に長手方向の張力を確実に付与することができる。
【００７８】
なお、前述した各実施形態においては、ドラムカートリッジ２５と現像カートリッジ２６とを合わせて本発明のプロセスカートリッジとしたが、ドラムカートリッジ２５のみを本発明のプロセスカートリッジとしてもよい。
【図面の簡単な説明】
【００７９】
【図１】本発明の画像形成装置としてのレーザプリンタの一実施形態を示す側断面図であり、フロントカバーを閉じた状態を示す。
【図２】図１に示すレーザプリンタの側断面図であり、フロントカバーを開いた状態を示す。
【図３】図１に示す下フレームの斜視図である。
【図４】図３に示す下フレームの右端部の構成を示す斜視図である。
【図５】図３に示す下フレームの左端部の構成を示す斜視図である。
【図６】ブラシ収容部およびブラシホルダの他の実施形態（板ばね部を備える態様）を示す要部斜視図である。
【図７】ブラシ収容部およびブラシホルダのさらに他の実施形態（押圧部を備える態様）を示す要部斜視図である。
【符号の説明】
【００８０】
１      レーザプリンタ
１８    プロセスカートリッジ
２８    感光ドラム
３１    ブラシ材
９２    下フレーム
１１２  ブラシホルダ
１１５  挿通孔
１１９  被係止部
１２１  配置部
１２２  ホルダ規制部
１２３  突起
１２５  係止部
１２９  板ばね部
１３０  凹部
【図１】
2006106021.tif 000003
【図２】
2006106021.tif 000004
【図３】
2006106021.tif 000005
【図４】
2006106021.tif 000006
【図５】
2006106021.tif 000007
【図６】
2006106021.tif 000008
【図７】
2006106021.tif 000009